(57)【要約】【課題】  中継機を介してファクシミリ送信する際に、最終宛先の番号入力ミスや第三者からの悪用を防止し得るファクシミリ通信システムを提供する。【解決手段】  中継機２１において、親機から相手先ＦＡＸ番号を載せたサブアドレスフレームとＰＷＤの送信を受けると、ＳＵＢ内のＦＡＸ番号が登録されているか否か判定し（ＳＴ１３）、かつＰＷＤが一致するか否か判定し（ＳＴ１４）、両者のＹＥＳで画像を受信し（ＳＴ１５）、最終宛先に発呼し、画像送信する（ＳＴ１７）。ＳＡＢ内のＦＡＸ番号が登録されていない場合、ＰＷＤが合致しない場合に、それぞれ送信元の親機に発呼し（ＳＴ１９）、“ＳＵＢ内の宛先が誤っています”、“ＰＷＤが違います”のメッセージを画像送信する（ＳＴ２０）。【選択図】      図４
2005136763.tif 000002
【特許請求の範囲】
【請求項１】
少なくとも親機と子機が公衆回線を介して接続されるファクシミリ通信システムにおいて、
親機からＦコードを利用して送信したい相手先ＦＡＸ番号をサブアドレスフレームに載せて子機に送信し、子機は受信したサブアドレスフレームのＦＡＸ番号を予め登録してあるＦＡＸ番号リストと照合して一致が取れたら相手先に送信することを特徴とするファクシミリ通信システム。
【請求項２】
前記子機において、受信したサブアドレスのＦＡＸ番号と予め登録してあるＦＡＸ番号リストとの照合が取れない場合に、その旨を親機に通知することを特徴とする請求項１記載のファクシミリ通信システム。
【請求項３】
前記子機において、受信したサブアドレスフレームとともに、パスワードをも受信し、受信したパスワードと予め登録してあるパスワードとの照合が取れない場合に、その旨を親機に通知することを特徴とする請求項１記載のファクシミリ通信システム。
【発明の詳細な説明】
【技術分野】
【０００１】
この発明は、親機と子機（中継機）を含み、親機から子機を介して、最終宛先にファクシミリ通信を行うファクシミリ通信システムに関する。
【背景技術】
【０００２】
近年、複数のファクシミリ装置（親機）から、最終宛先のファクシミリ装置等に対し、画像を送信するのに、中継ファクシミリ装置（子機）を介して、送信するようにしたファクシミリ通信システムが知られている。
【０００３】
また、複数のクライアントと、これに対応する複数のファクシミリサーバを備える他に、統括サーバを備え、統括サーバには電話帳を備えており、各クライアントより、この電話帳に登録された相手先を指定したファクシミリ送信の指示があると、指定された相手先に対応するファクシミリサーバに対して、クライアントからのデータを送信し、指定された相手先にファクシミリ送信を指示するようにした技術が開示されている（例えば、特許文献１参照）。
【特許文献１】特開２００１−２５１３４０号公報
【発明の開示】
【発明が解決しようとする課題】
【０００４】
上記した従来のファクシミリ送信システムでは、中継ファクシミリ装置が単に中継機能のみを果たすものである場合には、親機で入力する最終宛先のＦＡＸ番号につき、入力ミスを生じた場合、誤った相手先に画像送信されてしまうという問題がある。また、親機の方で送信者に制限がされていないので、誰もが中継によるファクシミリ送信ができ、第三者の悪用を看過してしまうという問題がある。
【０００５】
また、上記特許文献１においては、電話帳を備えた統括サーバが示されているが、この技術は親機であるファクシミリ装置から最終宛先の番号を入力するものではない。
【０００６】
この発明は上記問題点に着目してなされたものであって、最終宛先の番号入力ミスや、第三者からの悪用を防止し得るファクシミリ通信システムを提供することを目的としている。
【課題を解決するための手段】
【０００７】
このファクシミリ通信システムは、少なくとも親機と子機が公衆回線を介して接続されるファクシミリ通信システムにおいて、親機からＦコードを利用して送信したい相手先ＦＡＸ番号をハブアドレスフレームに載せて子機に送信し、子機は受信したサブアドレスフレームのＦＡＸ番号を予め登録してあるＦＡＸ番号リストと照合して一致が取れたら相手先に送信するようにしている。
【０００８】
この発明のファクシミリ通信システムにおいて、前記子機は、受信したサブアドレスのＦＡＸ番号と予め登録してあるＦＡＸ番号リストとの照合が取れない場合に、その旨を親機に通知することもできる。
【０００９】
また、前記子機は受信したアブアドレスフレームとともに、パスワードをも受信し、受信したパスワードと予め登録してあるパスワードとの照合が取れない場合に、その旨を親機に通知することもできる。
【発明の効果】
【００１０】
この発明によれば、親機より子機に送信されてＳＵＢ信号中の相手先ＦＡＸ番号が登録されている場合と一致しないと、画像を最終相手先に送信せず、その旨を示す通知を親機に送るので、番号入力システムや第三者の悪用を防止することができる。
【発明を実施するための最良の形態】
【００１１】
以下、実施の形態により、この発明を更に詳細に説明する。図１は、この発明が実施される通信システムの機器構成を示すブロック図である。図１において、複数の親機（複合機）２０−１、２０−２、２０−３から子機である中継機（複合機）２１、公衆回線１４を介して、相手方の子機である中継機２２、親機２３−１、２３−２、２３−３に回線接続される場合を示している。
【００１２】
この実施形態では、親機２０−１、２０−２、２０−３の１つからＦコードを利用して最終の相手先番号（例えば、親機２３−１、２３−２、２３−３）のいずれかのＦＡＸ番号をサブアドレスフレームに載せて、中継（子）機２１に送信する。中継機２１は受信したサブアドレスフレームのＦＡＸ番号を予め登録してある番号リスト（電話帳）と照合して、一致が取れたら、公衆回線１４、中継機２２を介して、相手方にＦＡＸデータを送信する。
【００１３】
図２は、この実施形態通信システムを構成する親機、子機等であるファクシミリ装置（複合機）の構成を示すブロック図である。
【００１４】
図２において、主制御部としてのＣＰＵ（中央処理装置）１は、当該装置を構成する各部を統括制御する機能を有する。
【００１５】
このＣＰＵ１には、ＮＣＵ（網制御回路：Network Control Unit）２、ＭＯＤＥＭ３、ＲＯＭ４、ＲＡＭ５、画像メモリ６、表示部７、操作部８、画像読み取り部９、画像記録部１０、ＣＯＤＥＣ（符号化・復号器：Coder and Decoder ）１１、ＬＡＮ  Ｉ／Ｆ１２がバス１３を介して接続されている。
【００１６】
ＮＣＵ２は、ＣＰＵ１により制御されて、通信回線である電話回線網（ＰＳＴＮ）１４との接続を制御する。また、ＮＣＵ２は、通信相手の電話番号（ＦＡＸ番号を含む）に応じたダイヤルパルスを送出する機能及び着信を検出する機能を有する。ＭＯＤＥＭ３は、ＩＴＵ（国際電気通信連合）−Ｔ勧告Ｔ．３０、Ｔ．４に従ったファクシミリ伝送制御手順（ファクシミリ通信手順）に基づいて、Ｖ．１７、Ｖ．２７ｔｅｒ、Ｖ．２９等に従った送信データの変調及び受信データの復調を行う。また、ＭＯＤＥＭ３は、Ｖ．８、Ｖ．３４を用いたＶ．３４ＦＡＸにも適用可能である。具体的には、ＭＯＤＥＭ３は、ＮＣＵ２を介して電話回線網１４に送出するために、デジタル信号である送信データをアナログの音声信号に変調する機能を有する。また、ＭＯＤＥＭ３は、電話回線網１４からＮＣＵ２を介して受信したアナログの音声信号をデジタル信号に復調する機能を有する。
【００１７】
ＲＯＭ４は、この装置全体の動作を制御するためのプログラム等を記憶する。ＲＡＭ５は、ＣＰＵ１による制御に必要なデータ及び制御動作時に一時記憶が必要なデータ等を記憶する。画像メモリ６は、画像読み取り部９で読み取った画像データを圧縮状態で記憶する。さらに、画像メモリ６は、パーソナルコンピュータ等の外部装置からネットワーク（ＬＡＮ）１５を介して受信した画像データ又は記録メディアから読み込んだ画像データを圧縮状態（ＪＰＥＧ等）で記憶する。
【００１８】
表示部７は、アイコン、キーボタンの表示や、データの送受信に必要なメッセージ内容、操作部８の操作により入力された電話番号やＦＡＸ番号等を表示する。この表示部７としては、ＣＴＲディスプレイやＬＣＤ（液晶表示装置）が用いられる。操作部８は、テンキーと、ワンタッチキーと、登録キーと、スタートキーと、動作モード切替キーとを有する。テンキーは、電話番号やＦＡＸ番号を入力するためのものである。ワンタッチキーは、相手先の電話番号やＦＡＸ番号をワンタッチで呼び出すためのものである。登録キーは、相手先の電話番号やＦＡＸ番号を短縮登録するためのものである。スタートキーは、ファクシミリ通信やコピー動作の開始を指示するためのものである。動作モード切替キーは、ＦＡＸモード・コピーモード・スキャナモード等の複数の動作モードについてのモード切り替えを行うためのものである。
【００１９】
画像読み取り部９は、ファクシミリ送信するとき又はコピーするときに、原稿の画像データを光学的に走査して読み取る。この画像読取部９は、カラー画像の読み取りも可能である。カラー読み取りの場合、画像読取部９は、原稿画像を光学的に走査し、ＲＧＢ３色の色分解信号を得る。画像記録部１０は、電子写真方式のプリンタよりなり、受信画像データやコピー動作において画像読み取り部９で読み取った原稿の画像データを記録紙上に記録する。
【００２０】
ＣＯＤＥＣ１１は、読み取った画像データを送信又は記憶するためにＭＨ、ＭＲ、ＭＭＲ方式等により符号化（エンコード）する。また、ＣＯＤＥＣ１１は、圧縮符号化された状態で受信した画像データを、画像記録部１０により記録するために復号（デコード）する。ＬＡＮ  Ｉ／Ｆ１２は、ＬＡＮ（ローカルエリアネットワーク）１５を介して外部機器とのデータ授受を行うためのものであり、ＬＡＮ  Ｉ／Ｆ１２を介してＰＣ（パーソナルコンピュータ）等の外部機器が接続される。例えば、ＬＡＮ  Ｉ／Ｆ１２を介して、外部機器からコピーすべき画像データを受信することができる。
【００２１】
次に、この実施形態通信システムにおいて、親機２０−１から中継機２１を介して、所定の宛先にファクシミリ送信する場合の処理を、図３、図４に示すフロー図を参照して説明する。
【００２２】
先ず、親機２０−１から中継機２１への送信について、図３のフロー図を参照して説明する。親機２０−１ではステップＳＴ１において、ＳＵＢ信号に最終宛先番号を格納する。続いて、ステップＳＴ２へ移行する。ステップＳＴ２においては、ＰＷＤ信号（パスワード信号）を作成する。続いて、ステップＳＴ３へ移行する。
【００２３】
ステップＳＴ３においては、画像読取部９で画像読み取りを行い、読み取った画像データを画像メモリ６に格納する。次に、ステップＳＴ４へ移行する。ステップＳＴ４においては、中継機２１に対してダイヤルする。続いて、ステップＳＴ５へ移行する。ステップＳＴ５においては、回線断されたか否か判定する。回線が断されている場合は、処理を終了する。回線が断されていない場合は、ステップＳＴ６へ移行する。ステップＳＴ６においては、公衆回線１４を介して、中継機２１に向けて画像送信を行う。
【００２４】
次に、中継機２１における処理を図４に示すフロー図を参照して説明する。中継機２１においては、ステップＳＴ１１において、親機２０−１からの発呼に対し、着呼する。続いて、ステップＳＴ１２へ移行する。ステップＳＴ１２においては、親機２０−１から送信されて来るＳＵＢ信号、ＰＷＤ信号を受信する。次に、ステップＳＴ１３へ移行する。ステップＳＴ１３においては、ＳＵＢ信号内のＦＡＸ番号が自機のＲＡＭ５に予め記憶してある登録リスト（電話帳）と照合し、ＳＵＢ信号内のＦＡＸ番号と同じ番号があるか（登録されているか）否かを判定する。同じＦＡＸ番号が有りの場合は、ステップＳＴ１４へ移行する。一方、同じＦＡＸ番号がなしの場合は、ステップＳＴ１８へ移行する。
【００２５】
ステップＳＴ１４においては、ＰＷＤ信号が、やはりＲＡＭ５に予め登録されているＰＷＤと合致するか否かを判定する。ＰＷＤが登録内容と合致するとステップＳＴ１５へ移行する。一方、ＰＷＤが登録内容と合致しない場合は、ステップＳＴ１８へ移行する。
【００２６】
ステップＳＴ１５においては、親機２０−１から送信されて来た画像データを受信する。次に、ステップＳＴ１６へ移行する。ステップＳＴ１６においては、回線を切断する。続いて、ステップＳＴ１７へ移行する。ステップＳＴ１７においては、公衆回線２４を介して最終宛先に発呼し、更に親機２０−１から受信した画像データを送信する。
【００２７】
ステップＳＴ１８においては、回線を断する。次に、ステップＳＴ１９へ移行する。ステップＳＴ１９においては、送信元機、つまり親機１０１に発呼する。続いて、ステップＳＴ２０へ移行する。ステップＳＴ２０においては、ステップＳＴ１３の判定ＮＯの場合に“ＳＵＢ内の宛先が誤っています”のメッセージを画像送信する。また、ステップＳＴ１４の判定ＮＯの場合は“ＰＷＤが相違します”のメッセージを画像送信する。
【００２８】
この実施形態では、相手先ＦＡＸ番号が入力ミスされた場合、最終宛先には画像データを送信しないで、相手先ＦＡＸ番号の入力ミスである旨が中継機（子機）から親機に通知されるので、番号入力ミスの発生を防止できる。また、その上、ＰＷＤが一致しない場合も、相手先への画像送信はせず、その旨が親機に知らされるので、第三者からのＦＡＸ送信の悪用を防止できる。
【図面の簡単な説明】
【００２９】
【図１】この発明の一実施形態通信システムの機器構成を示すブロック図である。
【図２】同実施形態通信システムのファクシミリ装置の概略構成を示すブロック図である。
【図３】同実施形態通信システムの親機の送信処理を説明するためのフロー図である。
【図４】同実施形態通信システムの中継機（子機）の中継処理を説明するためのフロー図である。
【符号の説明】
【００３０】
１                            主制御部（ＣＰＵ）
２                            ＮＣＵ
３                            ＭＯＤＥＭ
４                            ＲＯＭ
５                            ＲＡＭ
６                            画像メモリ
７                            表示部
８                            操作部
９                            画像読取部
１０                          画像記録部
１１                          ＣＯＤＥＣ
１２                          ＬＡＮ  Ｉ／Ｆ
１３                          バス
１４                          公衆回線
１５                          ＬＡＮ
２０−１、２０−２、２０−３  親機
２１                          中継機（子機）
２２                          中継機（子機）
２３−１、２３−２、２３−３  親機
２４                          公衆回線
【図１】
2005136763.tif 000003
【図２】
2005136763.tif 000004
【図３】
2005136763.tif 000005
【図４】
2005136763.tif 000006